(57)【特許請求の範囲】
【請求項１】
車両後部に位置する後部ピラーの直前方にサイドウインドガラスが配設され、
前記サイドウインドガラスの近傍において収納状態で車体に固定されたカーテンエアバッグと、該カーテンエアバッグにガス圧を供給するためのインフレータとを有するカーテンエアバッグ装置を備え、
前記カーテンエアバッグは、前記インフレータからのガス圧を受けて膨張されたときに、前記サイドウインドガラスに沿って該サイドウインドガラスを覆うように車室内側に展開されるようにしてなるカーテンエアバッグ装置を備えた車両の後部構造において、
収納状態にある前記カーテンエアバッグが、前記サイドウインドガラスの上縁部および後縁部に沿うようにして車体に固定されており、
前記後部ピラーが、ル−フパネルを車室内側から覆う軟質のル−フトリムよりも硬質とされた後部ピラートリムによって車室内側から覆われており、
前記後部ピラートリム前部のうち車幅方向外方側縁部および上端部を含む特定部分が、車幅方向内方側の所定位置において上下方向に伸ばして形成された展開用弱化部を境として容易に前方へ向けて変位可能とされたカバー部として形成されており、
前記ル−フトリムの車幅方向外縁部が、前記サイドウインドガラスの上縁部と離間するように配設され、
前記サイドウインドガラスの上縁部と前記ル−フトリムの車幅方向外縁部との間において、該サイドウインドガラスの上縁部に沿うようにして、該ル−フトリムよりも硬質とされたル−フ側方トリムが配設され、
前記カバー部上端の車幅方向内縁部が、前記ル−フ側方トリム後端の車幅方向内縁部よりもさらに車幅方向内方側に位置されて前記ル−フトリムに隣接され、
収納状態にある前記カーテンエアバッグは、前記サイドウインドガラスの上縁部に沿う部分が前記ルーフ側方トリムに沿って前記ルーフトリムの上方に位置され、前記サイドウインドガラスの後縁部に沿う部分が前記ル−フ側方トリム後端の車幅方向内縁部と前記展開用弱化部との間において、該カバー部の上端部から該展開用弱化部に沿って下方に延設され、
収納状態にある前記カーテンエアバッグが膨張されたときに、該カーテンエアバッグは、前記ルーフ側方トリムの車幅方向内縁部側から前記ルーフトリムを下方に変形させつつ車室内に展開されると共に、前記カバー部を前記後部ピラートリムの他の部分に対して前記展開用弱化部でもって縁切りさせて該カバー部を前方へ向けて変位させつつ車室内に展開されるように設定されている、
ことを特徴とするカーテンエアバッグ装置を備えた車両の後部構造。
【請求項２】
請求項１において、
前記サイドウインドガラスの前縁部に位置される前部ピラーが、前記ル−フトリムよりも硬質とされた前部ピラートリムによって車室内から覆われており、
収納状態にある前記カーテンエアバッグが膨張されたとき、該カーテンエアバッグが、前記前部ピラートリムの車幅方向内縁部と前記ル−フトリムとの境界部位から該ル−フトリムを下方へ変形させつつ車室内に展開されるように設定されている、
ことを特徴とするカーテンエアバッグ装置を備えた車両の後部構造。
【請求項３】
請求項１において、
前記カバー部が、前記後部ピラートリムに一体成形されており、
前記展開用弱化部が、前記後部ピラートリム前部の背面に形成され該後部ピラートリムを部分的に薄肉として容易に破断され易いようにされた溝状の弱化線とされている、
ことを特徴とするカーテンエアバッグ装置を備えた車両の後部構造。
【請求項４】
請求項１において、
前記後部ピラートリムが、後部ピラートリム本体と、該後部ピラートリム本体とは別体に形成された前記カバー部を構成するカバー部材との分割構成とされ、
収納状態にある前記カーテンエアバッグが膨張されたとき、該カーテンエアバッグが、前記カバー部材の車幅方向内縁部を前方へ変位させつつ車室内に展開される、
ことを特徴とするカーテンエアバッグ装置を備えた車両の後部構造。
【請求項５】
請求項１において、
前記カーテンエアバッグは、膨張、展開状態において、前記サイドウインドガラスと後部ピラートリム前部の車幅方向外方側縁部との間に膨張部を有するように設定されている、
ことを特徴とするカーテンエアバッグ装置を備えた車両の後部構造。
【請求項６】
請求項１において、
前記サイドウインドガラスの前縁部が固定される前部ピラーが、前記ル−フトリムよりも硬質とされた前部ピラートリムによって車室内側から覆われており、
収納状態にある前記カーテンエアバッグが膨張されたとき、前記前部ピラートリム部分では、該カーテンエアバッグが前記ル−フトリムの車幅方向外方側縁部を下方へ変形させつつ該ル−フトリムと該前部ピラートリムとの境界部位から下方に向けて車室内に展開されるように設定され、
前記サイドウインドガラスの上縁部に沿って延設される収納状態にある前記カーテンエアバッグは、前記前部ピラートリム上端と略同じ高さ位置において、該前部ピラートリムよりも後側のカーテンエアバッグが、該前部ピラートリムを通過するカーテンエアバッグに対して車幅方向同じに位置するか、車幅方向内側に位置するように設定されている、
ことを特徴とするカーテンエアバッグ装置を備えた車両の後部構造。
【発明の詳細な説明】
【技術分野】
【０００１】
本発明はカーテンエアバッグ装置を備えた車両の後部構造に関するものである。
【背景技術】
【０００２】
車両、特に自動車においては、衝突時や横転時等の乗員保護のためにエアバッグ装置が装備されることが一般的となっている。このエアバッグの中には、カーテンエアバッグと呼ばれるように、サイドウインドガラスを覆うように車室内に膨張、展開されるものがある。このようなカーテンエアバッグは、前後方向に隔置された複数のサイドウインドガラスを覆うように、前後方向に長いものとされることもある。特許文献１には、カーテンエアバッグを前後方向に極めて長くして、前後方向に隔置された３つのサイドウインドガラスを全て覆うことのできるようにしたものが開示されている。この特許文献１に記載のものでは、収納状態にあるカーテンエアバッグが、サイドウインドガラスの上縁部に沿って車体に固定されると共に、最後部ピラーにも固定されたものとなっている。
【特許文献１】特開２００４−１８９０９９号公報
【発明の開示】
【発明が解決しようとする課題】
【０００３】
ところで、後部ピラーは、車室内からの見栄え向上等のために後部ピラートリムによって覆われるが、この後部ピラートリムは、荷物等によって容易には損傷されないように、ル−フパネル内面を覆う軟質のル−フトリムよりもかなり硬質な部材で形成、より具体的には硬質の合成樹脂によって形成されることが一般的である。そして、後部ピラートリムによって覆われた後部ピラーの直前方にあるサイドウインドガラスをカーテンエアバッグで覆うようにした場合は、収納状態にあるカーテンエアバッグのうちサイドウインドガラスの後縁部に沿う部分が、車室内から目視できないように後部ピラートリムによって覆われることになる。したがって、収納状態にあるカーテンエアバッグは、後部ピラートリムによって前方から覆われるために、後部ピラートリム前部の少なくとも上部を前方へ変形させつつ、車室内に展開させる必要が生じてくる。
【０００４】
しかしながら、後部ピラートリムは、硬質であることから変形しずらいものとなっており、このため、特に収納状態にあるカーテンエアバッグをかなり大きく車幅方向内方側に位置させた状態では、カーテンエアバッグの車室内への展開には後部ピラートリムを大きく極めて大きく変形させることが必要となって、カーテンエアバッグのスムーズな膨張、展開を確保しずらいものとなり、また後部ピラートリムの上部が破損されてしまうおそれも生じる。
【０００５】
また、最近では、サイドウインドガラスの上縁部の見栄え向上や汚れ防止等のために、サイドウインドガラスの上縁部に沿って硬質のル−フ側方トリムを配設することも行われることが多くなっている。すなわち、ル−フパネルは軟質のル−フトリムによって車室内側から覆われるが、ル−フ側方トリムを有しない場合は、ル−フトリムの車幅方向外縁部がサイドウインドガラスの上縁部近傍にまで延設される。これに対して、ル−フ側方トリムを設ける場合は、ル−フトリムの車幅方向外縁部をサイドウインドガラスの上縁部から離間させた状態として、このサイドウインドガラスの上縁部とル−フトリムの車幅方向外縁部との間に、ル−フ側方トリムが配設されることになる。このル−フ側方トリムは、上述の後部ピラートリムに滑らかに連なるように配設されるものとなる。
【０００６】
上述のように、サイドウインドガラスの上縁部に沿って配設される部材が、軟質のル−フトリムではなくて硬質のル−フ側方トリムとされる場合、このサイドウインドガラスの上縁部に沿って配設されたカーテンエアバッグをいかに良好に展開させるかが問題となる。すなわち、ル−フトリムは軟質であるので、カーテンエアバッグの膨張、展開時の圧力によってル−フトリムは容易に下方へ変形されることになるが、ル−フ側方トリムは硬質なので、このル−フ側方トリムがカーテンエアバッグの良好な展開を阻害する１つの要因となってしまう。
【０００７】
本発明は以上のような事情を勘案してなされたもので、その目的は、後部ピラートリムおよびル−フ側方トリムを有する場合に、後部ピラートリムおよびル−フ側方トリムの破損を防止しつつ、カーテンエアバッグの良好な展開性を確保できるようにしたカーテンエアバッグ装置を備えた車両の後部構造を提供することにある。
【課題を解決するための手段】
【０００８】
前記目的を達成するため、本発明は、基本的に、後部ピラートリムのうちカーテンエアバッグからの展開圧力を受ける特定部分を、容易に前方へ変位可能なカバー部でもって構成するようにしてある。そして、カーテンエアバッグの車室内への展開を、後部ピラートリム部分については上記カバー部を押し開いて行われるように、またル−フ側方トリム部分についてはル−フ側方トリムの車幅方向内縁部側からル−フトリムを下方へ変形させつつ行われるようにしてある。
【０００９】
具体的には、本発明にあっては次のような解決手法を採択してある。すなわち、特許請求の範囲における請求項１に記載のように、
車両後部に位置する後部ピラーの直前方にサイドウインドガラスが配設され、
前記サイドウインドガラスの近傍において収納状態で車体に固定されたカーテンエアバッグと、該カーテンエアバッグにガス圧を供給するためのインフレータとを有するカーテンエアバッグ装置を備え、
前記カーテンエアバッグは、前記インフレータからのガス圧を受けて膨張されたときに、前記サイドウインドガラスに沿って該サイドウインドガラスを覆うように車室内側に展開されるようにしてなるカーテンエアバッグ装置を備えた車両の後部構造において、
収納状態にある前記カーテンエアバッグが、前記サイドウインドガラスの上縁部および後縁部に沿うようにして車体に固定されており、
前記後部ピラーが、ル−フパネルを車室内側から覆う軟質のル−フトリムよりも硬質とされた後部ピラートリムによって車室内側から覆われており、
前記後部ピラートリム前部のうち車幅方向外方側縁部および上端部を含む特定部分が、車幅方向内方側の所定位置において上下方向に伸ばして形成された展開用弱化部を境として容易に前方へ向けて変位可能とされたカバー部として形成されており、
前記ル−フトリムの車幅方向外縁部が、前記サイドウインドガラスの上縁部と離間するように配設され、
前記サイドウインドガラスの上縁部と前記ル−フトリムの車幅方向外縁部との間において、該サイドウインドガラスの上縁部に沿うようにして、該ル−フトリムよりも硬質とされたル−フ側方トリムが配設され、
前記カバー部上端の車幅方向内縁部が、前記ル−フ側方トリム後端の車幅方向内縁部よりもさらに車幅方向内方側に位置されて前記ル−フトリムに隣接され、
収納状態にある前記カーテンエアバッグは、前記サイドウインドガラスの上縁部に沿う部分が前記ルーフ側方トリムに沿って前記ルーフトリムの上方に位置され、前記サイドウインドガラスの後縁部に沿う部分が前記ル−フ側方トリム後端の車幅方向内縁部と前記展開用弱化部との間において、該カバー部の上端部から該展開用弱化部に沿って下方に延設され、
収納状態にある前記カーテンエアバッグが膨張されたときに、該カーテンエアバッグは、前記ルーフ側方トリムの車幅方向内縁部側から前記ルーフトリムを下方に変形させつつ車室内に展開されると共に、前記カバー部を前記後部ピラートリムの他の部分に対して前記展開用弱化部でもって縁切りさせて該カバー部を前方へ向けて変位させつつ車室内に展開されるように設定されている、
ようにしてある。
【００１０】
上記解決手法によれば、収納状態にあるカーテンエアバッグのうちサイドウインドガラスの後縁部に沿う部分にあっては、カバー部を容易に前方へ変位させつつ車室内に展開され、また収納状態にあるカーテンエアバッグのうちサイドウインドガラスの上縁部に沿う部分にあっては、軟質のル−フトリムを下方へ変形させつつ行なわれるので、カーテンエアバッグの良好な展開性が確保されることになる。また、カバー部の前方への容易な変位によって、後部ピラートリム（特に前部の上端部）に無理な変形力が作用することも防止されて、後部ピラートリムの破損も防止されることになる。勿論、ル−フ側方トリムは、カーテンエアバッグの展開に際して大きな変形を強いられることもないので、その破損が防止されることになる。
また、カバー部上端の車幅方向内縁部が、ル−フ側方トリム後端の車幅方向内縁部よりもさらに車幅方向内方側において前記ル−フトリムと隣接されている、ようにしてあることから、カバー部を押し開いて車室内に展開されようとするカーテンエアバッグが、ル−フ側方トリムの後端部と干渉しないように設定する上で好ましいものとなる。
【００１１】
上記解決手法を前提とした好ましい態様は、特許請求の範囲における請求項２以下に記載のとおりである。すなわち、
前記サイドウインドガラスの前縁部に位置される前部ピラーが、前記ル−フトリムよりも硬質とされた前部ピラートリムによって車室内から覆われており、
収納状態にある前記カーテンエアバッグが膨張されたとき、該カーテンエアバッグが、前記前部ピラートリムの車幅方向内縁部と前記ル−フトリムとの境界部位から該ル−フトリムを下方へ変形させつつ車室内に展開されるように設定されている、
ようにしてある（請求項２対応）。この場合、カーテンエアバッグを、前部ピラートリムとの干渉を生じさせることなく、軟質のル−フトリムを容易に変形させて車室内に良好に展開させることができる。
【００１２】
前記カバー部が、前記後部ピラートリムに一体成形されており、
前記展開用弱化部が、前記後部ピラートリム前部の背面に形成され該後部ピラートリムを部分的に薄肉として容易に破断され易いようにされた溝状の弱化線とされている、
ようにしてある（請求項３対応）。この場合、カバー部を後部ピラートリムと一体成形するので製造が容易であり、また車室内側からの見栄え向上の上でも好ましいものとなる。
【００１３】
前記後部ピラートリムが、後部ピラートリム本体と、該後部ピラートリム本体とは別体に形成された前記カバー部を構成するカバー部材との分割構成とされ、
収納状態にある前記カーテンエアバッグが膨張されたとき、該カーテンエアバッグが、前記カバー部材の車幅方向内縁部を前方へ変位させつつ車室内に展開される、
ようにしてある（請求項４対応）。この場合、カバー部としてのカバー部材を、後部ピラートリム本体とは別体に形成してあるので、カバー部材の前方への変位をより容易かつ確実に得ることが可能となり、カーテンエアバッグのより良好な展開性を確保することができる。
【００１４】
【００１５】
【００１６】
【００１７】
前記カーテンエアバッグは、膨張、展開状態において、前記サイドウインドガラスと後部ピラートリム前部の車幅方向外方側縁部との間に膨張部を有するように設定されている、ようにしてある（請求項５対応）。この場合、サイドウインドガラスの側方に配設されるシートに着座されている乗員を広範囲でもって保護する上で好ましいものとなる。
【００１８】
前記サイドウインドガラスの前縁部が固定される前部ピラーが、前記ル−フトリムよりも硬質とされた前部ピラートリムによって車室内側から覆われており、
収納状態にある前記カーテンエアバッグが膨張されたとき、前記前部ピラートリム部分では、該カーテンエアバッグが前記ル−フトリムの車幅方向外方側縁部を下方へ変形させつつ該ル−フトリムと該前部ピラートリムとの境界部位から下方に向けて車室内に展開されるように設定され、
前記サイドウインドガラスの上縁部に沿って延設される収納状態にある前記カーテンエアバッグは、前記前部ピラートリム上端と略同じ高さ位置において、該前部ピラートリムよりも後側のカーテンエアバッグが、該前部ピラートリムを通過するカーテンエアバッグに対して車幅方向同じに位置するか、車幅方向内側に位置するように設定されている、
ようにしてある（請求項６対応）。この場合、カーテンエアバッグが前後方向に張力を形成するように展開される場合であっても、カーテンエアバッグが前部ピラートリムに引っ掛かることを防止できる。
【発明の効果】
【００１９】
本発明によれば、後部ピラートリムおよびル−フ側方トリムを有する場合であっても、後部ピラートリムおよぼル−フ側方トリムの破損を防止しつつ、カーテンエアバッグの良好な展開性を確保できる。
【発明を実施するための最良の形態】
【００２０】
図１，図２において、車両Ｖは、前席シートＳＡと、前席シートＳＡの後方に配設された２列目シートＳＢと、２列目シートＳＢの後方に配設された特定シートとなる３列目シートＳＣとを有する。前席シートＳＡ用のサイドドアが符号ＳＤ１で示され、２列目シートＳＢ用のサイドドアが符号ＳＤ２で示される。この車両Ｖは、ピラーとして、前方から後方へ順次、ＡピラーＰ１、ＢピラーＰ２、前部ピラーとしてのＣピラーＰ３、後部ピラーとしてのＤピラーＰ４とを有する。左右のＤピラーＰ４の間は、バックドアＢＤによって開閉される後方開口１０とされ、後方開口１０を通して、３列目シートＳＣ後方の荷室１１に対する荷物の出し入れが行われる。
【００２１】
前記サイドドアＳＤ１は、ＡピラーＰ１とＢピラーＰ２との間の乗降用開口１２を開閉するもので、上下方向に開閉駆動されるサイドウインドガラスＧ１を有する。また、前記サイドドアＳＤ２は、ＢピラーＰ２とＣピラーＰ３との間の乗降用開口１３を開閉するもので、上下方向に開閉駆動されるサイドウインドガラスＧ２を有する。ＣピラーＰ３とＤピラーＰ４との間には、サイドウインドガラスＧ３が配置されているが、このサイドウインドガラスＧ３は、実施形態では、固定式（はめ殺し）とされて開閉できないようにされているが、開閉式であってもよい。サイドウインドガラスＧ３で覆われる後部サイド開口が符号１４で示される。
【００２２】
前記３つのサイドウインドガラスＧ１〜Ｇ３は、例えば側方衝突時あるいはその予知時や、横転時あるいはその予知時等に作動されるカーテンエアバッグＫＢによって、ほぼ全体的に車室内から覆われるようになっている。このカーテンエアバッグＫＢは、収納状態では、上記３つのサイドウインドガラスＧ１〜Ｇ３の縁部に沿ってかつその直近において車体に固定されている。すなわち、収納状態にあるカーテンエアバッグＫＢは、その前端部がＡピラーＰ１に固定され、その後端部がＤピラーＰ４に固定され、前端部から後端部との間の中間部分は、サイドウインドガラスＧ１〜Ｇ３の上縁部付近を前後方向に結んだ線上において車体に固定されている。このカーテンエアバッグの車体への固定は、連続式あるいは所定間隔毎等、適宜設定できる。
【００２３】
カーテンエアバッグＫＢは、その膨張、展開時には、図２でハッチングを付した状態でサイドウインドガラスＧ１〜Ｇ３に沿うようにして車室内に展開されて、全てのサイドウインドガラスＧ１〜Ｇ３を車室内側から覆うようにされている。そして、膨張、展開時には、カーテンエアバッグＫＢの下端が、ベルトラインよりも若干下方に位置するように（各サイドウインドガラスＧ１〜Ｇ３の下縁部よりも若干下方に位置するように）その大きさが設定されている。カーテンエアバッグＫＢのうち、図２においてハッチングが施されていない部分は、部分的にガス圧が供給されない非膨張部１であって、実質的に車幅方向には膨張しない薄い状態とされている。なお、このような非膨張部１の形成位置は、各シートＳＡ〜ＳＣに着座される乗員の頭部位置からかなり離れた位置に設定される。このような非膨張部１を設けておくことによりカーテンエアバッグＫＢの膨張、展開を早期に行う上で好ましいものとなるが、非膨張部１を設けないように設定することもできる。また、カーテンエアバッグＫＢの前端を、ＡピラーＰ１の前端部中間部あたりで車体に固定させることもでき、この場合、カーテンエアバッグＫＢの前端（の下端部）とＡピラーＰ１の前端近傍とをテザー（ひも状部材）によって連結しておくのがが好ましい。
【００２４】
図３の（ａ）〜（ｄ）は、カーテンエアバッグＫＢを収納状態に折りたたむ一例を示すものである。すなわち、ガス圧が供給されていない薄い状態で展開されたカーテンエアバッグＫＢ（図３（ａ）参照）が、その下端位置方向から蛇腹状に折りたたまれていき（図３（ｂ）参照）、やがて１本の棒状体とされる（図３（ｃ）参照で、断面の外形形状は例えば略方形とされる）。なお、折りたたみは、下端部側から表側方向と裏側交互とに順次重ねていくようにしてもよく、単に表側あるいは裏側の一方向にのみ重ねていくようにしてもよく、さらには表側あるいは裏側の一方向から丸めていくような手法であってもよく、折り畳みの手法は適宜選択できるものである。棒状とされたカーテンエアバッグＫＢの後端部の所定部分を例えば捻ることにより、図３（ｃ）の直線状の状態から、この所定部分で前端部および後端部が下方へ向かうように湾曲された状態とすることが可能になる。ただし、本発明では、展開指向方向を車幅方向には大きく変更しないようにするため、このような捻れを殆ど（実質的に）に行うことなく、図３（ｄ）に示すような前端部側と後端部側との湾曲を得るようにしてある。なお、前端部の湾曲はＡピラーＰ１の傾斜に対応するものであって、比較的緩やかに下方に向かうようにされている。また、カーテンエアバッグＫＢの後端部の湾曲は、ＤピラーＰ４の傾斜に対応するもので、ＤピラーＰ４がほぼ上下方向にまっすぐ伸びている関係上、前端部に比してかなり急激に湾曲して下方に向かうようにされている。そして、収納状態にあるカーテンエアバッグＫＢが車体に固定された状態では、その後端部は、サイドウインドガラスＧ３の上縁部後部から後縁部上部に渡って湾曲しつつ下方に伸びて、その下端位置は、サイドウインドガラスＧ３の下縁部近傍あるいは下端部には達しない位置（実施形態ではサイドウインドガラスＧ３の後縁部の上下方向略中間位置）に位置されるようになっている（図１参照）。
【００２５】
図１、図２において、ＩＲは、車体に固定されたインフレータであり、収納状態にあるカーテンエアバッグＫＢに対して膨張、展開用のガス圧を供給するものとなっている。インフレータＩＲが起爆されることによって発生されたガス圧は、実施形態では前後２本の供給系路２、３を介して収納状態にあるカーテンエアバッグＫＢに供給される。前方の供給系路２は、収納状態にあるカーテンエアバッグＫＢの前後方向略中間位置からガス圧を供給するものとなっている。また、後方の供給系路３は、収納状態にあるカーテンエアバッグＫＢの後端部付近にガス圧を供給するものとなっている。なお、供給系路２、３の数や、収納状態にあるカーテンエアバッグＫＢへのガス圧供給位置は適宜変更できるものである。このようなカーテンエアバッグＫＢとインフレータＩＲと供給系路２、３等によって、カーテンエアバッグ装置ＫＢＳが構成される。
【００２６】
前述した各ピラーＰ１〜Ｐ４は、それぞれピラートリムによって車室内側から覆われており、ＣピラーＰ３のピラートリムつまり前部ピラートリムが符号ＰＴ３で示され（特に図４、図８参照）、ＤピラーＰ４のピラートリムつまり後部ピラートリムが符号ＰＴ４で示される（特に図４、図９参照）。また、ル−フパネルＲＰ（特に図６、図７参照）の車室側は、ル−フトリムＲＴによって覆われている（図１、図２ではル−フトリムは図示略）。ル−フトリムＲＴは、弾性体等の軟質材、例えば発砲ウレタン等の表面を不織布で覆ったもの等によって形成されていて、手指で押圧した程度の外力でもって比較的容易に変形し得るものとされている。前部ピラートリムＰＴ３および後部ピラートリムＰＴ４等の各ピラートリムは、それぞれ硬質の合成樹脂、例えばポリプロピレンで構成することができ、特に後部ピラートリムＰＴ４については、低温（例えば−２０度Ｃ）以下でも破損しにくいＴＰＯ（サーモ・プラスチックオレフィン）で一部を構成したポリプロピレンによって形成されていて、手指で押圧した程度の外力では容易には変形しにくいものとされている。このように、特に後部ピラートリムＰＴ４は、ル−フトリムＲＴよりも硬質（十分に硬質）とされていて、荷物等が接触しても容易には傷つかないようにされている。
【００２７】
図９に示すように、後部ピラーＰ４は、インナパネル２１とアウタパネル２２とによって閉断面状に形成されていて、その前端部には、前方へ短く伸びる接合フランジ部２３が形成されている。サイドウインドガラスＧ３の後縁部は、接着剤２４を介して接合フランジ部２３の外面に固定されている。このような後部ピラーＰ４を覆う後部ピラートリムＰＴ４は、水平方向での断面形状が略Ｌ字状とされていて、前後方向に幅広く伸びる側面部２５と、側面部２５の前端から車幅方向外側に延長されると共に車幅方向に幅広く伸びる前面部２６とを有する（前面部２６は、平面視において、車幅方向に対して０〜４５度傾斜）。そして、前面部２６の車幅方向外側端縁部つまり所定端縁部２６ａが、サイドウインドガラスＧ３の後縁部直近に位置されて、上記接合フランジ部２３近傍まで延設されている。
【００２８】
図４、図５、図７および図９に示すように、後部ピラートリムＰＴ４における前面部２６のうち、所定端縁部２６ａおよび上端部を含む所定部分、より具体的には、前面部２６のうち車幅方向外方側寄りの部分でかつ上下方向略中間位置よりも上方部分が、別体に形成されたカバー部材２７によって構成されている。つまり、前面部２６には、カバー部材２７に対応した形状の切欠が形成されて、この切欠がカバー部材２７によって施蓋されたものとなっている。なお、後部ピラートリムＰＴ４のうち、カバー部材２７以外の部分が後部ピラートリム本体ＰＴ４′となるもので、カバー部材２７と後部ピラートリム本体ＰＴ４′との境界部位が、展開用弱化部γ１，γ２となる。展開用弱化部γ１は、所定端縁部２６ａから所定分車幅方向内方側位置において上下方向に直線状に伸びていて、後部ピラートリムＰＴ４の上下方向略中間位置から上端にまで達している。展開用弱化部γ２は、展開用弱化部γ１の下端から車幅方向外方側に向けて伸びて、所定端縁部２６ａにまで達している。
【００２９】
カバー部材２７は、その車幅方向内方側縁部２７ａが、後部ピラートリム本体ＰＴ４′に対して、前方に位置するようにして重ね合わされている（図９参照）。この重ね合わせ部分において、例えば接着剤によってカバー部材２７と後部ピラートリム本体ＰＴ４′とを弱く一体化してもよいが、本実施形態では接着等の固定はなんら行われておらず、したがって、車幅方向に相対的に変位可能な状態での重ね合わせとなっている。これにより、温度変化による熱膨張差や製造誤差による寸法差が、この重ね合わせ部分で吸収されることになる。また、こうした重ね合わせが前面部２６に設けるられることで、荷物の積載時等に、荷物が重ね合わせに接触してカバー部材２７が外れることが防止される。
【００３０】
上述したような後部ピラートリムＰＴ４は、そのカバー部材２７が、図９に示すように、その背面に突設された支持ステー４５に形成された係止突起部４５ａを利用して、インナパネル２１に係止されている。この係止突起部４５ａによる係止作用は弱いもので、手指で手前に引張した程度ではインナパネル２１から抜けでない係止機能を有するが、カーテンエアバッグＫＢの膨張、展開時の大きな圧力を受けたときには容易にその係止作用が解除される（係止突起部４５ａがインナパネル２１から抜け出る）ように設定されている。そして、カバー部材２７が所定以上前方へ移動するのを規制するために、カバー部材２７（の支持ステー４５）とインナパネル２１とが、弛んだ状態とされたワイヤ等のひも状の連結部材４６によって連結されている。すなわち、係止突起部４５ａがインナパネル２１から抜け出てカバー部材２７が所定以上前方へ移動して、連結部材４６が直線状となる緊張状態になったとき、それ以上のカバー部材２７の前方動が規制されることになる。
【００３１】
後部ピラートリム本体ＰＴ４′は、その前部と後部との複数箇所でもって、インナパネル２１にしっかりと固定されている。すなわち、後部ピラートリム本体ＰＴ４′の背面に支持ステー４７，４８が形成されて、この支持ステー４７、４８の先端部に形成された係止突起部４７ａ、４８ａが、取付ブラケット４９を介してあるいは直接的に、インナパネル２１に強固に係止されている。
【００３２】
図６、図７に示すように、ル−フパネルＲＰの車幅方向外側端部は、インナパネル（レインフォースメント）３１によって、前後方向に伸びる閉断面状の強度部材としてのル−フサイドレール３２とされている。このル−フサイドレール３２は、その下端部において、下方に短く伸びる接合フランジ部３３を有して、この接合フランジ部３３に対して、サイドウインドガラスＧ３の上縁部が接着剤３４（図９の接着材２４に対応）によって固定されている。
【００３３】
図４〜図６に示すように、前部ピラートリムＰＴ３と後部ピラートリムＰＴ４との間には、サイドウインドガラスＧ３の上縁部に沿って、前後方向に伸びる車幅方向に細幅のル−フ側方トリムＲＳＴが配設される。すなわち、ル−フトリムＲＴの車幅方向外縁部は、サイドウインドガラスＧ３部分では、サイドウインドガラスＧ３の上縁部には達しない長さとされていて（サイドウインドガラスＧ３と離間されていて）、このサイドウインドガラスＧ３とル−フトリムＲＴとの間にル−フ側方トリムＲＳＴが位置されている。このル−フ側方トリムＲＳＴは、各ピラートリムＰＴ３、ＰＴ４と同様に、ル−フトリムＲＴよりも硬質、より具体的には硬質の合成樹脂によって形成されている（前部ピラートリムＰＴ３や後部ピラートリムＰＴ４を構成する材質と同質の材料によって形成されている）。このようなル−フ側方トリムＲＳＴは、その車幅方向幅が、前部ピラートリムＰＴ３の車幅方向幅とほぼ同一とされているが、カバー部材２７の車幅方向幅よりも十分に小さいものとされている。すなわち、カバー部材２７の車幅方向内縁部は、ル−フ側方トリムＲＳＴの後端部における車幅方向内縁部よりもさらに大きく車幅方向内方側に寄った位置とされている。こうしたル−フ側方トリムＲＳＴは、ル−フトリムＲＴを車両の開口を通して車外から車室内に移動させてル−フに取付ける際に、バックドアＢＤなどの開口が小さい等の理由によってル−フトリムＲＴ大きく形成できない場合に設定するものであり、開口を通過できない部分をル−フ側方トリムＲＳＴとしてル−フトリムＲＴとは別体とすることで、ル−フトリムＲＴの取付け性を向上している。勿論、見栄えを向上させるためにル−フ側方トリムＲＳＴを取付ける場合もある。
【００３４】
上述のようなル−フ側方トリムＲＳＴは、図５、図６に示すように、その上面に複数の係止突起部６１を有して、この係止突起部６１を利用して、ル−フサイドレール３２の下面に固定されている。なお、ル−フ側方トリムＲＳＴは、その係止突起部６１がしっかりとル−フサイドレール３に係止されて、カーテンエアバッグＫＢの膨張、展開時の圧力を受けても下方へ変位しないようにされているが、膨張、展開時の圧力を受けたときに係止突起部６１のル−フサイドレール３２に対する係止位置が若干下方へ位置変更されるようにしてもよい（ル−フ側方トリムＲＳＴが下方へ所定分変位するだけで、ル−フサイドレール３２からは脱落しないようにする）。
【００３５】
図６〜図９に示すように、収納状態にあるカーテンエアバッグＫＢは、取付ブラケット４１、４２等を介して、車体に固定される。図９に示される取付ブラケット４１は、後部ピラーＰ４への取付用であり、図６〜図８に示される取付ブラケット４２は、ル−フサイドレール３２に対する固定用である。サイドウインドガラスＧ３の上縁部から後縁部に渡る部分での収納状態にあるカーテンエアバッグＫＢの配設例が図５に示されるが、図５では、カーテンエアバッグＫＢの配設状態を明瞭に示すために、上記取付ブラケット４１、４２は図示を略してある。なお、図５を参照した収納状態にあるカーテンエアバッグＫＢの詳細な配設態様については後述する。
【００３６】
図８は、前部ピラートリムＰＴ３部分を示すものである。すなわち、前部ピラー（Ｃピラー）Ｐ３は、既知のようにインナパネルＰ３・１とアウタパネルＰ３・２とによって閉断面状に形成されており、この前部ピラーＰ３を車室内側から覆う前部ピラートリムＰＴ３の上端は、前部ピラーＰ３の車幅方向内面（インナパネルＰ３・１）から若干離間していて、前部ピラーＰ３と前部ピラートリムＰＴ３との間には、車幅方向に間隔を有する隙間３０が形成されている。そして、この隙間３０の上方開口が、ル−フトリムＲＴによって施蓋されている。収納状態にあるカーテンエアバッグＫＢは、前部ピラートリムＰＴ３およびその付近では、前部ピラートリムＰＴ３の上端よりも若干車幅方向内方側に配置され、しかもその展開指向方向が前部ピラートリムＰＴ３の上端（の車幅方向内縁部）よりも車幅方向内側とされている。これにより、展開されようとするカーテンエアバッグＫＢと前部ピラートリムＰＴ３の上端との干渉が防止される。なお、図８一点鎖線で示すように、カーテンエアバッグＫＢを、前部ピラートリムＰＴ３の上端（の車幅方向内縁部）よりもさらに大きく車幅方向内方側に大きくオフセットさせて配置することにより、展開されようとするカーテンエアバッグＫＢと前部ピラートリムＰＴ３との干渉をより一層確実に防止することができる。
【００３７】
図６に示すように、前後方向に細長く伸びるインフレータＩＲは、取付ブラケット４３を介してル−フサイドレール３２に固定されている。そして、ル−フサイドレール３２には、車体内装品としてのアシストグリップ３６が固定されて（図４，図５をも参照）、このアシストグリップ３６のうち乗員により把持される部分が、ル−フトリムＲＴを貫通して車室内に露出されている。なお、実施形態では、アシストグリップ３６が収納状態にあるカーテンエアバッグＫＢやインフレータＩＲよりも車幅方向外方側に位置されているが、カーテンエアバッグＫＢとインフレータＩＲとの間に配設することもできる。
【００３８】
次に、図５を参照しつつ、サイドウインドガラスＧ３によって覆われる後部サイド開口１４付近での収納状態にあるカーテンエアバッグＫＢの配設態様の詳細について説明する。なお、図５では詳細を略してあるが、ル−フトリムＲＴの端縁部は、前部ピラートリムＰＴ３および後部ピラートリムＰＴ４の上端面上に若干重なるように配設されているものである。まず、収納状態にあるカーテンエアバッグＫＢは、サイドウインドガラスＧ３に沿って前後方向に伸ばして配設されるが、前部ピラートリムＰＴ３部分、サイドウインドガラスＧ３の上縁部に沿う部分が、平面視においてほぼ直線状（車幅方向で±５ｃｍ以上オフセットしていない）となるように配設されている。すなわち、収納状態にあるカーテンエアバッグＫＢは、サイドウインドガラスＧ３（所定の車体外面と考えることもできる）に対する車幅方向離間距離（車幅方向絶対位置と考えることもできる）が、前部ピラートリムＰＴ３、サイドウインドガラスＧ３の上縁部に沿う部分、およびサイドウインドガラスＧ３の後縁部に沿う部分において互いにほぼ等しくなるようにされている。また、カーテンエアバッグＫＢは、サイドウインドガラスＧ３の後縁部に沿う部分では、サイドウインドガラスＧ３の上縁部の後端から車幅方向にオフセットせずに、そのままサイドウインドガラスＧ３の後縁部から所定の車幅方向距離を保ちながら下方に延設されている。
【００３９】
上述のようなカーテンエアバッグＫＢの車幅方向位置は、前部ピラートリムＰＴ３よりも若干車幅方向内方側に位置するように設定されている（図８をも参照）。換言すれば、収納状態にあるカーテンエアバッグＫＢは、展開時に引っかかりやすい前部ピラートリムＰＴ３との干渉を避けるために、この前部ピラートリムＰＴ３の上端部よりも若干車幅方向内方側に位置させるように設定して、サイドウインドガラスＧ３の上縁部や後縁部に沿う部分の車幅方向位置を、前部ピラートリムＰＴ３部分での車幅方向位置とほぼ同じ位置となるように設定してある。このように、収納状態にあるカーテンエアバッグＫＢは、前部ピラートリムＰＴ３部分から後方部分の全長について、車幅方向に大きく曲げられる等のオフセット処理されることなく、極力まっすぐな状態を保持するように配設されている。
【００４０】
収納状態にカーテンエアバッグＫＢは、その展開指向方向が、前部ピラートリムＰＴ３、サイドウインドガラスＧ３の上縁部に沿う部分では下方を向くように設定され、サイドウインドガラスＧ３の後縁部に沿う部分ではほぼ前方を向くように設定されている。換言すれば、収納状態にあるカーテンエアバッグＫＢは、前部ピラートリムＰＴ３部分から後方部分の全長について、大きく捻られることなく配設されていて、サイドウインドガラスＧ３の後縁部に沿う部分では、上縁部に沿う部分から大きく下方へ湾曲される関係上、この湾曲によって展開指向方向がほぼ前方（正確には前方かつ下方となる）となるようにされている。
【００４１】
収納状態にあるカーテンエアバッグＫＢは、サイドウインドガラスＧ３の後縁部に沿う部分においては、カバー部材２７の車幅方向内方側縁部２７ａよりも若干車幅方向外方側に位置するように設定されている。すなわち、カーテンエアバッグＫＢは、カバー部材２７の車幅方向内方側縁部２７ａに相当する展開用弱化部γ１に極力近い位置において、展開用弱化部γ１とカバー部材２７の係止突起部４５ａとの間に位置するように配設されている。このように、収納状態にあるカーテンエアバッグＫＢは、平面視において、カバー部材２７のうち車幅方向内方側部分に対しては上下方向において干渉する位置とされるが、ル−フ側方トリムＲＳＴに対しては上下方向に干渉しない位置となるように設定されている。
【００４２】
このように収納されたカーテンエアバッグＫＢにおいて、後述する展開指向方向とは、カーテンエアバッグＫＢを車体に対して通常の取付固定箇所で固定した場合に、収納された状態から率先して展開する方向であり、例えば、カーテンエアバッグＫＢが展開した状態でその下端（展開した状態での下端）から蛇腹状に折り畳んだ場合は、蛇腹の延設する方向の展開先端側が展開指向方向となる。通常、このように蛇腹状に折り畳んだ場合には、カーテンエアバッグＫＢの取付固定箇所とは反対側が、蛇腹の延設する方向の展開先端側が展開指向方向となるため、取付固定箇所の反対側が展開指向方向ともなり得る。また、カーテンエアバッグＫＢをロール状に丸めた場合には、カーテンエアバッグＫＢの取付固定箇所とは反対側が展開指向方向ともなる。なお、図５において、符号ε１で示す一点鎖線は、カーテンエアバッグＫＢの展開方向指向線が、ル−フトリムＲＴと交差する点およびカバー部材２７と交差する点を結んだ軌跡となっており、この軌跡ε１がカーテンエアバッグＫＢの展開指向方向を示すことになる。このε１で示すように、カバー部材２７よりも前方部分つまりサイドウインドガラスＧ３の上縁部に沿う部分および前部ピラートリムＰＴ３部分では、カーテンエアバッグＫＢの展開指向方向がほぼ下方とされる(図６〜図８においてカーテンエアバッグＫＢから伸びる矢印参照）。また、サイドウインドガラスＧ３の後縁部に沿う部分では、カーテンエアバッグＫＢの展開指向方向がほぼ前方とされる(図９においてカーテンエアバッグＫＢから伸びる矢印参照）。
【００４３】
次に、以上のような構成の作用について説明する。カーテンエアバッグＫＢが収納状態のときに、側方衝突が検出されたときあるいは予知されたときや、車両の横転が検出されたときあるいは予知されたとき等の所定条件が満足されると、インフレータＩＲが起爆される。インフレータＩＲの起爆によって発生されたガス圧が収納状態にあるカーテンエアバッグＫＢに供給されて、カーテンエアバッグＫＢが図２ハッチングで付したような形状となって、車室内に膨張、展開される。カーテンエアバッグＫＢの車室内への膨張、展開は、サイドウインドガラスＧ３の上縁部に沿う部分およびその前方部分では、下方に向けて行われて、ル−フ側方トリムＲＳＴの車幅方向内縁部側からル−フトリムＲＴ（の車幅方向外縁部）を下方へ変位させつつカーテンエアバッグＫＢは車室内に展開される。ル−フトリムＲＴは軟質なので容易に下方へ変形させることができる。また、ル−フ側方トリムＲＳＴは、展開されるカーテンエアバッグＫＢから無理な変形力を受けないので、その破損が防止されることになる。
【００４４】
また、車両後部側においては、カーテンエアバッグＫＢの膨張、展開は、ほぼ前方に向けて行われるので、後部ピラートリムＰＴ４のカバー部材２７の上部が前方へ押圧される。これにより、カバー部材２７は前方へ変位されて、このカバー部材２７の変位によって形成されるカバー部材２７の車幅方向内方側縁部２７ａと後部ピラートリム本体ＰＴ４′との重ね合わせ部分が離間（縁切り）されて、この部分に形成される隙間を通して、カーテンエアバッグＫＢが車室内に展開されることになる。とりわけ、カーテンエアバッグＫＢが展開用弱化部γ１の近くに配設されていることと、当初はカーテンエアバッグＫＢよりも車幅方向外方側において係止突起部部４５ａによる弱い係止作用と受けていることから、展開しようとするカーテンエアバッグＫＢからの前方への押圧力によって、カバー部材２７の車幅方向内方側縁部が効果的に前方へ向けて変位されることになる。勿論、カバー部材２７にある程度以上の前方への押圧力が作用すると、係止突起部４５ａのインナパネル２１に対する係止作用が解除されて、カバー部材２７は大きく前方へ変位して、カーテンエアバッグＫＢがカバー部材２７から大きな抵抗を受けることなく、容易に車室内に展開されることになる。なお、カバー部材２７の必要以上の前方への変位は、連結部材４６によって規制されることになる。
【００４５】
上述のように、収納状態にあるカーテンエアバッグＫＢは、元々、前部ピラートリムＰＴ３から後方部分については、車幅方向の大きなオフセットや展開指向方向の大きな変更がなされてないので、その展開性が良好であり、しかもカバー部材２７が極めて容易に前方へ変位可能なので、全体的にカーテンエアバッグＫＢの車室内の展開をスムーズに行うことができる。勿論、展開時の圧力を受けるカバー部材２７は、少なくとも展開用弱化部γ１部分でもって後部ピラートリム本体ＰＴ４′と縁切りされて極めて容易に前方へ変位されるので、無理な変形を生じることなく、その破損が防止されることになる。また、カーテンエアバッグＫＢは、前部ピラートリムＰＴ３からサイドウインドガラスＧ３の上縁部、ひいては、サイドウインドガラスＧ３の後縁部に亘って、略直線状に配置されている。つまり、前部ピラートリムＰＴ３上端と略同じ高さ位置において、前部ピラートリムＰＴ３よりも後側のカーテンエアバッグＫＢは、前部ピラートリムＰＴ３上を通過するカーテンエアバッグＫＢよりも車幅方向外側には位置しない（車幅方向ほぼ同じ位置か、車幅方向内側に位置される）。このため、カーテンエアバッグＫＢが前後方向に張力を形成するように展開される場合であっても、カーテンエアバッグＫＢが前部ピラートリムＰＴ３に引っ掛かることが防止される。
【００４６】
後部ピラートリム本体ＰＴ４′は、展開されるカーテンエアバッグＫＢから無理な変形力を受けないので、その破損が防止されることになる。以上に加えて、展開されようとするカーテンエアバッグＫＢは、もっぱらカバー部材２７の上端部を押圧して、ル−フ側方トリムＲＳＴを殆ど押圧することなく展開されるので、ル−フ側方トリムＲＳＴに邪魔されることなく良好な展開性が確保されることになる。そして、膨張、展開されたカーテンエアバッグＫＢは、後部ピラートリム本体ＰＴ４′とサイドウインドガラスＧ３との間に膨張部を有しているので、３列目シートＳＣに着座している乗員を広範囲でもって保護するようになっている。
【００４７】
図１０は、本発明の第２の実施形態を示すもので、前記実施形態と同一構成要素には同一符合を付してその重複した説明は省略する（このことは以下のさらに別の実施形態についても同じ）。本実施形態では、カバー部材２７と後部ピラートリム本体ＰＴ４′との境界部位を、面一となるように重ね合わせたものとされている。すなわち、後部ピラートリム本体ＰＴ４′の車幅方向内方側縁部を後方に向けて若干屈曲させて、この後方へ屈曲された部分の前面にカバー部材２７の車幅方向内方側縁部が重なるようにしてある。そして、この重ね合わせ部分において、車幅方向の隙間Ｌを確保して、熱膨張や製造誤差等に起因する寸法差を吸収できるようにしてある。本実施形態では、カバー部材２７と後部ピラートリム本体ＰＴ４′との重ね合わせ部分が面一となるので、車室内側からの見栄え向上の上で好ましいものとなる。なお、展開用弱化部γ２に相当する部分も、図１０に示される展開用弱化部γ１に相当する部分と同様の処理が施されている。
【００４８】
図１１は、本発明の第３の実施形態を示すものである。本実施形態では、前面部２６に、カバー部材２７に相当するカバー部２７′を一体成形してある。そして、、前面部２６の背面に、展開用弱化部γ１，γ２に相当する位置において、溝状の展開用弱化部δを形成してある。この展開用弱化部δ部分では、十分に薄肉とされて、カーテンエアバッグＫＢの膨張、展開時の圧力を受けて容易に破断（縁切り）されるようになっている。なお、本実施形態では、図９に示す係止突起部４５ａに相当する係止部を有しないものとされているが、カーテンエアバッグＫＢの車幅方向外方側において、係止突起部４５ａに相当する係止突起部によって、カバー部２７′をインナパネル２１に弱く係止させておくようにしてもよい。
【００４９】
図１２〜図１４は、本発明の第４の実施形態を示すものである。本実施形態では、第１の実施形態におけるカバー部材２７（第３の実施形態におけるカバー部２７′においても同じ）の上端部を、車幅方向内方側に向かうにつれて、徐々に下方かつ後方に位置するように傾斜設定してあり、このような傾斜設定部が符号２７ｂで示される。これにより、収納状態にあるカーテンエアバッグＫＢのうちサイドウインドガラスＧ３の後縁部に沿う部分が、カバー部材２７によって前方から覆われる面積が減少されて、その分カーテンエアバッグＫＢの展開性がより一層良好になる。特に、車幅方向内方側に向かうにつれて下方に位置するように傾斜設定することにより、展開しようとするカーテンエアバッグＫＢがカバー部材２７の上縁部に沿って展開用弱化部γ１に向かうように滑る作用を少なからず生じて、この展開用弱化部γ１での後部ピラートリム本体ＰＴ４′に対する縁切りをより容易かつ確実に行う上で好ましいものとなる。なお、カバー部材２７（第３の実施形態におけるカバー部２７′においても同じ）の上端部を、車幅方向内方側に向かうにつれて、徐々に下方に位置させるように設定することと、徐々に後方に位置させるように設定することとのいずれか一方のみを行うようにしてもよい。
【００５０】
以上に加えて、図１４に示すように、カバー部材２７の上端部は、ル−フ側方トリムＲＳＴの後端部に対して、下方（車室内側）から重ね合わされている。これにより、カバー部材２７は、展開されようとするカーテンエアバッグＫＢによって前方から押圧されたときに、ル−フ側方トリムＲＳＴによって前方への移動が阻害されることが確実に回避されて、カーテンエアバッグＫＢのより一層良好な展開性が確保される。
【００５１】
図１５、図１６は本発明の第５の実施形態を示すものである。本実施形態では、
ル−フ側方トリムＲＳＴの車幅方向幅が、カバー部材２７（カバー部２７′とした場合も同じ）の車幅方向幅とほぼ同一とされて、ル−フ側方トリムＲＳＴの車幅方向内縁部とカバー部材２７の車幅方向内縁部（γ１に相当）とが近接（実施形態ではほぼ完全一致）されて、極力車室内側からの見栄えが向上する設定とされている。
【００５２】
また、カーテンエアバッグＫＢは、サイドウインドガラスＧ３の上縁部後端付近（ル−フ側方トリムＲＳＴの後端部付近）までは、ほぼ前後方向まっすぐにサイドウインドガラスＧ３の上縁部に沿うように配設されているが、サイドウインドガラスＧ３の上縁部後端部（ル−フ側方トリムＲＳＴの後端部）からカバー部材２７の上端部に渡って、後方に向かうにつれて徐々に車幅方向外方側に位置するように湾曲され、この湾曲部分よりも下方部分はほぼまっすぐに伸びている。このように、カーテンエアバッグＫＢのうちサイドウインドガラスＧ３の後縁部に沿う部分は、サイドウインドガラスＧ３の上縁部に沿う部分に対して、若干車幅方向外方側にオフセットされている。
【００５３】
カーテンエアバッグＫＢのうち、ル−フ側方トリムＲＳＴの後端部付近で湾曲する部分は、平面視において、ル−フ側方トリムＲＳＴの後端部の車幅方向内方側縁部上に重なるように位置設定され、しかもル−フ側方トリムＲＳＴの後端部の車幅方向内方側縁部に対してカーテンエアバッグＫＢの展開指向方向が指向するように設定されている。このような湾曲部分でのカーテンエアバッグＫＢの設定によって、展開されようとするカーテンエアバッグＫＢが、変形しにくい後部ピラートリム本体ＰＴ４′と干渉してしまう事態が極力抑制されて、カーテンエアバッグＫＢの良好な展開性を確保する上で好ましいものとなる。なお、カーテンエアバッグＫＢを、平面視において、ル−フ側方トリムＲＳＴの後端部の車幅方向内方側縁部上に重なるように位置設定することと、ル−フ側方トリムＲＳＴの後端部の車幅方向内方側縁部に対してカーテンエアバッグＫＢの展開指向方向を指向させることとのいずれか一方のみを設定するようにしてもよい。なお、ル−フ側方トリムＲＳＴは小さくかつ比較的撓みやすいので、その後端部の下方への変位は容易であり、ル−フ側方トリムＲＳＴがカーテンエアバッグＫＢの展開を実質的に妨げることはない（係止突起部６１の係止作用を弱いものとしておくこともできる）。
【００５４】
図１７は本発明の第６の実施形態を示すものである。本実施形態は、図８の変形例となるもので、収納状態にあるカーテンエアバッグＫＢは、前部ピラートリムＰＴ３付近では、平面視において、前部ピラートリムＰＴ３に対して車幅方向に若干重なる位置関係となるように配設されている。そして、前部ピラートリムＰＴ３付近において収納状態にあるカーテンエアバッグＫＢを保持している取付ブラケット４２がは、下方へ伸びる延長部４２ａを有している。この延長部４２ａは、下方に向かうにつれて徐々に車幅方向内方側に位置するように傾斜設定されていて、その指向方向が、前部ピラートリムＰＴ３の車幅方向内端位置に指向されている（この内端位置よりも若干車幅方向内方側に指向するように設定してもよい）。このような延長部４２ａを設けておくことにより、膨張、展開されるカーテンエアバッグＫＢは、延長部４２ａのガイド作用によって、前部ピラートリムＰＴ３となんら干渉することなく、また隙間３０に進入することなく、確実に車室内に展開されることになる。
【００５５】
以上実施形態について説明したが、本発明は、実施形態に限定されるものではなく、特許請求の範囲の記載された範囲において適宜の変更が可能であり、例えば次のような場合をも含むものである。図４等に示される車体内装品用としてのアシストグリップ３６に代えて、例えば空調用ダクト（その車室内の開口部がル−フトリムＲＴに形成される）等であってもよい。車両としては、バックドアを有しない車両であってもよい。本発明の適用対象となるサイドウインドガラスとしては、１列目のサイドウインドガラスＧ１（特に２列目以降の後席シートが無い場合）や２列目のサイドウインドガラスＧ２用であってもよく（特に３列目シートが無い場合）、対象となるサイドウインドガラスの後縁部に沿って収納状態のカーテンエアバッグが配設されるのであれば本発明を適用できるものである。
【００５６】
ル−フ側方トリムＲＳＴの後端部は、後部ピラートリムＰＴ４の上端部に対してほぼ隙間なく隣接させる代わりに、隙間を形成して、この隙間を例えば軟質の小さいトリム材で充・するようにしてもよい。同様に、ル−フ側方トリムＲＳＴの前端部を、前部ピラートリムＰＴ３の後端部に対してほぼ隙間なく隣接させる代わりに隙間を形成して、この隙間を例えば軟質の小さいトリム材で充・するようにしてもよい。カーテンエアバッグは、前後方向に分割された複数のものであってもよい。後部ピラートリムＰＴ４は、その水平方向の断面形状がＬ字状の場合に限らず、例えば円弧状等、適宜変更できるものである。膨張、展開されたカーテンエアバッグＫＢが車幅方向の外力により十分対抗できるようにするため、その下端部を全長に渡って他の部分よりも車幅方向に幅広く膨張されるように設定してもよい。ル−フ側方トリムＲＳＴを、前部ピラートリムＰＴ３と一体成形するようにしてもよい。勿論、本発明の目的は、明記されたものに限らず、実質的に好ましいあるいは利点として表現されたものを提供することをも暗黙的に含むものである。
【図面の簡単な説明】
【００５７】
【図１】収納状態にあるカーテンエアバッグを車室内側から見た簡略側面断面図。
【図２】カーテンエアバッグを車室内に膨張、展開させたときの状態を示すもので、図１に対応した図。
【図３】カーテンエアバッグを収納状態に折りたたむ一例を示す図。
【図４】後部ピラートリム付近を車室内側から見たときの斜視図。
【図５】後部ピラートリム付近での収納状態にあるカーテンエアバッグの配設例を示す平面図。
【図６】図５のＸ６〜Ｘ６線相当断面図。
【図７】図５のＸ７〜Ｘ７線相当断面図。
【図８】図５のＸ８〜Ｘ８線相当断面図。
【図９】図４のＸ９〜Ｘ９線相当断面図。
【図１０】本発明の第２の実施形態を示す要部拡大断面図。
【図１１】本発明の第３の実施形態を示すもので、図９に対応した図。
【図１２】本発明の第４の実施形態を示すもので、図４に対応した要部斜視図。
【図１３】第３の実施形態における収納状態にあるカーテンエアバッグの配設例を示すもので、図５に対応した図。
【図１４】図１３のＸ１４−Ｘ１４線相当断面図。
【図１５】第５の実施形態を示すもので、図４に対応した図。
【図１６】第５の実施形態を示すもので、図５に対応した図。
【図１７】本発明の第６の実施形態を示すもので、図８に対応した図。
【符号の説明】
【００５８】
Ｖ：車両
Ｇ３：サイドウインドガラス
Ｐ３：Ｃピラー（前部ピラー）
ＰＴ３：前部ピラートリム
Ｐ４：Ｄピラー（後部ピラー）
ＰＴ４：後部ピラートリム
ＢＤ：バックドア
ＫＢＳ：カーテンエアバッグ装置
ＫＢ：カーテンエアバッグ
ＩＲ：インフレータ
ＲＴ：ル−フトリム
ＲＳＴ：ル−フ側方トリム
１０：後方開口
１４：後部サイド開口
２５：後部ピラートリムの側面部
２６：後部ピラートリムの前面部
２６ａ：所定端縁部
２７：カバー部材
２７ａ：車幅方向内縁部
２７′：カバー部
γ１、γ２：展開用弱化部（縁切りされる箇所）
δ：展開用弱化部（縁切りされる箇所）
【図１】
0004742933.tif 000002
【図２】
0004742933.tif 000003
【図３】
0004742933.tif 000004
【図４】
0004742933.tif 000005
【図５】
0004742933.tif 000006
【図６】
0004742933.tif 000007
【図７】
0004742933.tif 000008
【図８】
0004742933.tif 000009
【図９】
0004742933.tif 000010
【図１０】
0004742933.tif 000011
【図１１】
0004742933.tif 000012
【図１２】
0004742933.tif 000013
【図１３】
0004742933.tif 000014
【図１４】
0004742933.tif 000015
【図１５】
0004742933.tif 000016
【図１６】
0004742933.tif 000017
【図１７】
0004742933.tif 000018